(57)【特許請求の範囲】
【請求項１】
机における天板の縁部に着脱自在に固定されるベースと、
前記ベースに立設した上向き開口で筒状の受け部材と、
前記受け部材に上方から着脱自在に嵌め込まれた中空状の支柱と、
前記支柱の上端から略水平状に延びるアームと、
前記アームの先端に取り付けた灯具とを備えており、
前記支柱の内部には、前記灯具に電力を供給するためのコードが挿通されている一方、前記受け部材には、前記コードが上下動自在に嵌まり得る上向き開口の切り開き溝を形成している、
机用の照明装置。
【請求項２】
更に、前記切り開き溝を介して支柱の下部にねじ込まれる止めねじと、前記止めねじのねじ込みによって受け部材の外面に締結される当て板とを備えている、
請求項１に記載した机用の照明装置。
【請求項３】
天板と、背板を備えた棚装置と、請求項１又は請求項２に記載した照明装置とを備えており、前記棚装置は天板の後部に取り外し可能に載置されている一方、前記照明装置の受け部材と支柱は棚装置における背板の裏側に配置されており、前記照明装置の支柱は棚装置の背板にも取り付けられている、
学習机。
【発明の詳細な説明】
【０００１】
【発明の属する技術分野】
本発明は、学習机とこれに好適な照明装置に関するものである。
【０００２】
【従来の技術】
学習机は、一般に、天板の後部に棚装置を載置している。そして、照明装置は、棚装置に一体に組み込んだものと、天板に取り付けできるものとに大別され、天板に取り付けできるものは、棚装置を取り外した後も照明装置を使用し続けることができる利点がある。
【０００３】
そして、天板に取り付けできる照明装置として、特開平２０００−３０５０８号（特許第３０１５００５号）には、支柱を、机の天板に固定される固定支柱とこれに昇降自在に嵌まった可動支柱とで構成し、可動支柱の上端に水平状に延びるアームを設け、アームの先端に灯具を取付けた構造が記載されている。
【０００４】
この公報において、固定支柱と可動支柱とはほぼ同じ長さになっており、共に中空筒状に形成されている。そして、可動支柱と固定支柱の内部には、灯具に電力を供給するためのコードが挿通されており、コードは、固定支柱の下部に設けた横向きの穴から外部に引き出されている。
【０００５】
【発明が解決しようとする課題】
前記公報においては灯具の高さを自在に調節できるため、使用者（児童）の要望に応えることのできる照明状態を実現できる利点がある。
【０００６】
しかし、コードが固定支柱の横向き穴から引き出されているため、可動支柱と固定支柱とを分離することは困難である。従って、灯具を取付けるに当たっては、灯具全体の姿勢を保持しながらクランプ装置を操作して固定支柱を天板に固定しなければならず、このため、照明装置の取付けや取り外しが面倒になる虞があった。
【０００７】
【０００８】
本発明は、このような現状を改善することを目的とするものである。
【０００９】
【課題を解決するための手段】
請求項１の発明は照明装置に係るもので、照明装置は、机における天板の縁部に着脱自在に固定されるベースと、前記ベースに立設した上向き開口で筒状の受け部材と、前記受け部材に上方から着脱自在に嵌め込まれた中空状の支柱と、前記支柱の上端から略水平状に延びるアームと、前記アームの先端に取り付けた灯具とを備えている。
【００１０】
そして、前記支柱の内部には、前記灯具に電力を供給するためのコードが挿通されている一方、前記受け部材には、前記コードが上下動自在に嵌まり得る上向き開口の切り開き溝を形成しており、前記コードが前記切り開き溝から支柱の外部に引き出されている。
【００１１】
請求項２の発明では、請求項１に加えて、前記切り開き溝を介して支柱の下部にねじ込まれる止めねじと、前記止めねじのねじ込みによって受け部材の外面に締結される当て板とを備えている。
【００１２】
請求項３の発明は学習机に係るもので、この学習机は、天板と、背板を備えた棚装置と、請求項１に記載した照明装置とを備えており、前記棚装置は天板の後部に取り外し可能に載置されている一方、前記照明装置の受け部材と支柱は棚装置における背板の裏側に配置されており、前記照明装置の支柱は棚装置の背板にも取り付けられている。
【００１３】
【００１４】
【００１５】
【発明の作用・効果】
本願発明の照明装置は、支柱と受け部材とは着脱自在であるため、照明装置を机に取付けるに当たっては、先に受け部材を天板に固定してから、受け部材に支柱を取付ければ良く、逆に照明装置を取り外す場合は、先に灯具や支柱を受け部材から取り外しておいて、受け部材を天板から取り外せば良い。
【００１６】
このように、照明装置の取り付け・取り外しに際して一々照明装置全体の姿勢を保持しておく必要はないため、照明装置の取付け・取り外しの作業を容易に行うことができる。
【００１７】
また、照明装置を机の棚装置に取付けておく場合、受け部材を取り外しておくことができるため、クランプ装置が棚装置からはみ出た状態になることを防止でき、このため、照明装置が取付けられた棚装置の梱包や保管がやり易くなる利点もある。
【００１８】
請求項２のように構成すると、切り開き溝を利用して支柱の高さを調節できるため、それだけ構造を簡単化できる利点がある。
【００１９】
【００２０】
請求項３の構成にすると、支柱は棚装置の背板に固定されているため、棚装置に取り付けた状態で使用するに際して、取付け強度を向上できる。
【００２１】
更に、本願発明の照明装置は、電源コードは支柱の内部に挿通されているために美感に優れていると共に物がコードに引っ掛かる事故もなくすことができ、しかも、コードと干渉することなく支柱を受け部材に抜き差しできるため、受け部材への支柱の着脱の容易性を損なうことなく、美感を向上できる。
【００２２】
【発明の実施形態】
次に、本発明の実施形態を図面に基づいて説明する。
【００２３】
(1).第１実施形態（図１〜図15）
図１〜図１５では第１実施形態を示している。このうち図１は机の正面図であり、図２は図１のII−II視断面図であり、まず、両図に基づいて全体の概要を説明する。
【００２４】
(1)-1.概要
机は、左右の脚１で支持された天板２を備えており、天板２の後部には、棚装置３と照明装置４とを配置している。
【００２５】
棚装置３は下棚５と上棚６との２段式になっており、それぞれ左右の側板７，８と背板９，１０とを備えている。上棚６は図示しないダボや金具等によって下棚５に取り外し可能に取付けられており、下棚５の側板７は金具で天板２に固定されている。
【００２６】
下棚５には、同じ程度の横巾の固定式棚板１１と着脱式棚板１２とが左右に振り分けて配置されており、固定式棚板１１には複数の仕切り板１３と引き出し１４とが取付けられている。上棚６には固定式棚板１５と仕切り板１６とを設けている。上棚６における棚板１５の前部の下面には補強板１７を固着している。
【００２７】
照明装置４は、天板２の後端縁を掴持するねじ式のクランプ装置１９を有するベース２０と、ベース２０に取り付けた支柱２１と、支柱２１の上端に水平旋回可能に取り付けた水平状に固定アーム２２と、固定アーム２２に摺動自在に嵌め込んだ可動アーム２３と、可動アーム２３の前端に取付けた灯具２４とを備えている。
【００２８】
支柱２１は下棚５における背板８の裏側に配置されている。また、灯具２４は、シェード２５とランプ（蛍光灯）２６とを備えている。以下、図３以下の図面も参照して照明装置４を詳述する。
【００２９】
(1)-2.ベースと受け部材
先ず、主として図３〜図７に基づいて、照明装置の下部の構造を説明する。
【００３０】
図３は照明装置の下部を後方から見た分離斜視図、図４は一部破断した状態での下部の分離側面図、図５は一部破断した状態での下部の分離正面図、図６のうち（Ａ）は一部破断正面図、（Ｂ）と（Ａ）のＢ−Ｂ視断面図、（Ｃ）は動きを示す断面図、図７は背面図である。
【００３１】
ベース２０は、金属板で側面視コ字状に形成したクランプ装置１９を備えており、クランプ装置１９の上面板には軸受け具２７をねじで固定している。
【００３２】
軸受け具２７は側面視台形状に形成されており、ほぼ中間の高さ部位には左右に貫通する軸受け穴２８が貫通している。また、軸受け具２７の前面と後面とにそれぞれ段部２９，３０が形成されている。
【００３３】
本実施形態では軸受け具２７は合成樹脂の成形品になっているが、金属板製でも良いし、クランプ装置１９に一体に折曲げ形成することも可能である。
【００３４】
ベース２０には受け部材３１を取付けている。受け部材３１は合成樹脂又は金属によって中空の小判形に形成されており、底板を備えている。また、側部には上向きに開口する切り開き溝３２を形成している。切り開き溝３２を形成したことによる強度低下を補うため、受け部材３１には、当該受け部材３１と同心状に延びる補強パイプ（或いは補強軸）３３を固定している。
【００３５】
補強パイプ３３は受け部材３１よりも上方に突出しており、その上向き突出部に、後ろ向きに開口したねじ穴３４（図３，図４参照）を形成している。
【００３６】
受け部材３１の底板には、軸受け具２７の左右側面に重なる軸受けブラケット３５と、軸受け部材３１の上部の前面と後面とに重なるストッパーブラケット３６とがねじで固定されている。そして、図５から容易に理解できるように、摘まみを備えたねじ３７を、軸受けブラケット３５及び軸受け部材３１に貫通させて、このねじ３７をカバー兼用のナット３８にねじ込んでいる。
【００３７】
図６（Ｂ）（Ｃ）に示すように、受け部材３１が直立した状態では、ストッパーブラケット３６が軸受け部材３１における前面の段２９に当たり、後面の段３０との間にある程度の隙間が空くように設定している。従って、図６（Ｃ）に示すように、受け部材３１はある程度の角度（例えば１０〜３０度程度）だけ後傾動し得る。
【００３８】
アーム２２，２３が前向きに延びていることから、灯具２４の重量によって受け部材３１は手前側に倒れるようなモーメントが作用しているため、受け部材３１は図６（Ｂ）のように直立した状態に保持されている。そして、たとえば灯具２４を前方から押す水平方向の外力が作用すると受け部材３１は逃げ回動し、外力がなくなると灯具２４の自重によって直立状態に戻る。
【００３９】
この実施形態では、受け部材３１をベース２０に傾動自在に取付けることが緩衝手段になっている。
【００４０】
なお、受け部材３１は側面視で鉛直線に対して若干前傾した姿勢から後傾した姿勢まで前後傾動するように設定しておいても良い。また、ばね等の弾性手段によって前傾方向に付勢しておいても良い。
【００４１】
(1)-3.支柱
例えば図３に示すように、支柱２１は受け部材３１と相似形の小判形に形成されており（他の断面形状でも良い）、下端寄りの適宜範囲に上下長手の長穴４０を形成し、この長穴４０に挿通したねじ４１を補強パイプ３３のねじ穴３４にねじ込んでいる。従って、支柱２１は長穴４０の長さの範囲で高さ調節することができる。
【００４２】
支柱２１の内部には、灯具２４に電力を供給するためのコード４２が挿通されており、コード４２は、支柱２１の下端部に設けた横穴にコネクタ４２ａで固定されている。そして、コネクタ４２ａが受け部材３１の切り開き溝３２に自在に嵌まるように設定している。このため、受け部材３１への支柱２１の着脱や高さ調節に際してコード４２が受け部材３１と干渉することはない。
【００４３】
図３や図７に示すように、支柱２１は固定具４３によって下棚５の背板８に固定されている。この固定具４３は合成樹脂（板金製でもよい）からなる一体物であり、背板８に重なるスペーサ部４３ａに、支柱２１に後方から重なる押さえ部４３ｂの一端部を連設した形態になっている。
【００４４】
そして、スペーサ部４２ａの一端部はねじ４４で背板８に固定されており、スペーサ部４３ａの他端部と押さえ部４３ｂの他端部とをねじ４５で背板に共締めしている。支柱２１は受け部材３１に挿入されているため、支柱２１と背板８との間に隙間が空いているが、固定具４３にスペーサ部４３ａが存在するため、支柱２１を安定した状態で背板８に固定できる。
【００４５】
なお、固定具４３を背板８に取付けたままで、共締め用ねじ４５を緩めるだけで、支柱２１を固定具４３に抜き差しすることができる（コード４２のコネクタ４２ａはねじ４５と干渉しないように設定されている）。
【００４６】
(1)-4.アームの構造
次に、照明装置４の上部の構造を説明する。まず、図８及び図９に基づいて、固定アーム２２及び可動アーム２３について説明する。
【００４７】
図８のうち（Ａ）は縦断側面図、（Ｂ）は（Ａ）のＢ−Ｂ視断面図、（Ｃ）は（Ａ）のＣ−Ｃ視一部破断平面図、（Ｄ）は（Ａ）のＤ−Ｄ視断面図、図９は可動アーム２３を引き出した状態での側断面図である。
【００４８】
例えば図８（Ｄ）に示すように、固定アーム２２及び可動アーム２３とも断面小判形の中空筒状に形成されており、固定アーム２２は、丸棒を断面逆Ｌ字状に折曲げたジョイント４７を介して支柱２１の上端部に水平旋回可能に取付けられている。
【００４９】
ジョイント４７の水平部は、スペーサ板４８を介して固定アーム２２にねじ４６で固定されている。また、図８（Ａ）（Ｂ）に示すように、ジョイント４７の鉛直部は、前後一対の軸受け具４９によって支柱２１の上端部に水平旋回自在に取付けられている。軸受け具４９はねじで支柱２１に固定されている。また、軸受け具４９は、コード４２が通り得る形状になっている。
【００５０】
ジョイント４７の鉛直部には環状溝５０が形成されており、この環状溝５０に軸受け具４９の環状突起を前後から嵌め込むことにより、ジョイント４７を抜け不能に保持している。また、図８（Ｃ）に示すように、ジョイント４７における水平部の先端を平面視でＬ字状に曲げることにより、ジョイント４７と固定アーム２２との取付け強度を高めている。
【００５１】
固定アーム２２の後端部とジョイント４７とは、支柱２１に固定されたカバー５１で覆われている。カバー５１の前面は平面視で前向き凸の山形に形成されており、かつ、図８（Ｃ）に示すように、カバー５１の前面には、固定アーム２２の水平旋回を許容するため、水平方向に延びる長穴５２が左右対称状に形成されている。
【００５２】
本実施形態では、中立位置を基準にして固定アーム２２が水平回動し得る最大角度θ１（図８（Ｃ）参照）を３０度程度に設定している。もちろん、回動可能角度は任意に設定することができ、例えば左右に９０°程度旋回する構成にしても良い。
【００５３】
更に、固定アーム２２を支柱２１に対して水平旋回させるための手段も、実施形態のようなＬ形のジョイント４７を使用することには限らず、様々の構成を採用できる。
【００５４】
例えば図９に示すように、固定アーム２２の先端には合成樹脂製のスライダー５３をねじで固定している。また、可動アーム２３の後端部にも、上下一対のパーツからなる合成樹脂製のスライダー５４をねじで固定している。可動アーム２３のスライダー５４は、可動アーム２３と噛み合った状態で固定されている。
【００５５】
図９に示すように、可動アーム２３の後部には、コード４２を引き出す穴５５が空いている。また、固定アーム２２の下端板には、コード４２と干渉することなく可動アーム２３の引き出しを許容するための長穴５６が空いている。
【００５６】
なお、固定アーム２２のスライダー５３にコード挿通穴を空けて、スライダー５３からコード４２を可動アーム２３の内部に引き出しても良い（この場合は固定アーム２２の長穴５６は不要になる）。
【００５７】
(1)-5.灯具の取付け構造
次に、図１０以下の図面も参照して、灯具２４の取付け構造を説明する。
【００５８】
図１０は要部の縦断側面図、図１１のうち（Ａ）は部材を分離した状態での側断面図、（Ｂ）は（Ａ）のＢ−Ｂ視図、（Ｃ）は（Ａ）のＣ−Ｃ視図、図１２は要部の一部破断平面図、図１３は図１０のXIII−XIII視断面図、図１４は図１２のＸIV−ＸIV視断面図である。
【００５９】
例えば図１１に示すように、可動アーム２３の前端には上下二つ割り式で合成樹脂製のブッシュ５８がねじで固定されており、このブッシュ５８に、可動アーム２３の軸心回りに自在に回転するように第１ヒンジ部材５９を嵌め入れている。第１ヒンジ部材５９を抜け止めのフランジ５９ａを設けている。
【００６０】
第１ヒンジ部材５９の上部は板状の水平部５９ｂになっており、この水平部５９ｂの上面に、第２ヒンジ部材６０をねじ６１で水平旋回自在に取付けている。第２ヒンジ部材６０は左右方向に長く延びており、その両端は円形の嵌合部６０ａになっている。そして、左右の嵌合部６０ａを、シェード２５の後ろ向き突出部２５ａに形成した軸受け部６２に回転自在に取り付けている。
【００６１】
この場合、第２ヒンジ部材６０における一方の嵌合部６０ａは、シェード２５における一方の軸受け部６２に嵌め入れただけであり、他方の嵌合部６０ａは、図１４に示すように、他方の軸受け部６２に押さえ具６３によって取付けられている。押さえ具６３に対するねじ６４のねじ込み強さを加減することにより、灯具２４の上下首振りの硬さを調節することができる。
【００６２】
図示してないが、シェード２５の前面等の適当な箇所に、使用者が前方から操作できるスイッチを設けている（スイッチは支柱又はベースに設けることも可能である）。
【００６３】
第２ヒンジ部材６０のうち円形部の間の部位の下面はフラットになっており、左右中間部に底面視円形で段違い状の下向き突出部６５が形成されている。そして、この下向き突出部６５の大径部に第１座金６６を介して前記第１ヒンジ部材５９が嵌め入れられており、更に、下向き突出部６５の小径部には第２座金６７が被嵌しており、下向き突出部６５に下方からねじ６１がねじ込まれている。
【００６４】
図１２に示すように、第１ヒンジ部材５９の水平部５９ｂは、平面視で前向き凸の山形になっており、このため、第１ヒンジ部材５９における水平部５９ｂの前面は傾斜面になっている。
【００６５】
灯具２４は第２ヒンジ部材６０の下向き突出部６５を中心にして水平旋回し得るが、図１２に一点鎖線で示すように、第１ヒンジ部材５９の傾斜面がシェード２５の背面に当たることにより、可動アーム２３に対する灯具２４の最大水平旋回角度θ２が規定される。
【００６６】
そして、本実施形態では、第１ヒンジ部材５９における左右の傾斜面の交叉角度を約９０°に設定しているため、灯具２４は基準位置を挟んだ両側に最大で約４５°程度水平旋回し得る。
【００６７】
なお、図１２に一点鎖線で示すように、可動アーム２３に対する灯具２４の最大水平旋回角度は、シェード２５の後ろ向き突出部６５が可動アーム２３に当たることによっても規制されている（第１ヒンジ部材５９の傾斜面の当たりと、シェード２５における後ろ向き突出部２５ａの当たりとのうち何れか一方のみの当たりで回動角度を規制しても良い。）。
【００６８】
図８（Ａ）に示すように、シェード２５の内部には反射板６８を設けている。また、シェード２５の左右中央部には、上向きに開口した指掛け部６９を形成している。更に、シェード２５の前端には、ランプの光が使用者の目に直接に当たることを防止するための柵部７０を設けている。
【００６９】
(1)-6.灯具の動き
アーム２２，２３が支柱２１に対して水平旋回すると共に灯具２４はアーム２２，２３に対しても水平旋回するため、灯具２４は平面視姿勢を変えることなく左右方向及び前後方向に移動させることができる。
【００７０】
また、灯具２４は、可動アーム２３の軸心回りに左右首振りさせることができ、かつ、第２ヒンジ部材６０の軸心回りに上下に首振り回動させることができる。このため、使用者の好みに応じて灯具の姿勢と位置をきめ細かく変更することができる。
【００７１】
(2).第２〜第４実施形態（図15）
図１５（Ａ）では、受け部材３１の変形例である第２実施形態を示している。
【００７２】
すなわちこの実施形態では、受け部材３１の上端部のうち切り開き溝３２を挟んだ両側に補強用突出部７１を設け、これら補強用突出部７１を、スペーサ（図示せず）を介してねじ７２で連結している。この実施形態では受け部材３１は強度を確保できるため、第１実施形態のように補強パイプ３３を設ける必要がない。
【００７３】
図１５（Ｂ）に示す第３実施形態では、軸受け部材３１における後部の段部３０にゴムのような弾性体７３を設けている。このようにすると、緩衝機能を一層向上できる。なお、弾性体７３はストッパーブラケット３６に設けても良い。
【００７４】
図１５（Ｃ）に示す第４実施形態では、受け部材３１の上端に補強と支柱２１のガイドとを兼用するキャップ（リング）２１′を嵌め込むことによって補強パイプを不要としている。
【００７５】
また、支柱２１の下部のうちコネクタ４２ａの上方（下方でも良い）に、受け部材３１の切り開き溝３２に開口するめねじ穴２１ａを設けて、これに、受け部材３１に重なる当て板３１ａを介して止めねじ３１ｂをねじ込んでいる。
【００７６】
この実施形態では、切り開き溝３２を利用して支柱２１の高さを調節できるため、それだけ構造を簡単化できる利点がある。
【００７７】
(3).第５実施形態（図16〜図19）
図１６〜図１９では、灯具２４の取付け構造の別例である第５実施形態を示している。
【００７８】
図１６のうち（Ａ）は要部の縦断側面図、（Ｂ）は（Ａ）のＢ−Ｂ視断面図、（Ｃ）は（Ａ）のＣ−Ｃ視断面図、（Ｄ）は（Ａ）のＤ−Ｄ視断面図、図１７は図１６のXVII−XVII視平面図、図１８は主要部材を分離した側面図、図１９のうち（Ａ）は主要部の平面図、（Ｂ）は（Ａ）のＢ−Ｂ視断面図、（Ｃ）は（Ａ）のＣ−Ｃ視断面図である。
【００７９】
この実施形態も、固定アーム２２と可動アーム２３とを備えている（固定アーム２２の取付け構造や照明装置４の下部の構造は第１実施形態と同様であるので、説明は省略している。）。
【００８０】
図１６に示すように、固定アーム２２の前端にはスライダー５３を設け、可動アーム２３の前端には二つ割り式のキャップ７４を設けており、これらスライダー５３とキャップ７４とにコード４２を挿通している。
【００８１】
可動アーム２３の前端部には、上向きに突出するねじ軸７５がかしめや溶接などによって固定すると共に、ねじ軸７５に貫通した正面視門型のベースブラケット７６をねじで固定している。
【００８２】
ベースブラケット７６は固定カバー７７で覆われており、固定カバー７７はねじでベースブラケット７６に固定されている。また、ねじ軸７５には、ベースブラケット７６に上方から当たるレバーナット７８がねじ込まれている。
【００８３】
ベースブラケット７６の内部には前後方向に延びる丸棒状の第１ヒンジ部材（支軸）７９が嵌まっており、第１ヒンジ部材７９はねじ軸７５に貫通している。また、第１ヒンジ部材７９のうちベースブラケット７６の内部に嵌まった部位には合成樹脂製のカラー８０が嵌まっている。カラー８０にもねじ軸７５が貫通している。
【００８４】
ベースブラケット７６の内部には、第１ヒンジ部材７９がカラー８０を介して載るスペーサ８１を固定している。図１７に示すように、固定カバー７７の前面は平面視で前向き凸状に形成されており、且つ、固定カバー７７の前面に水平方向に延びる長穴７７ａを形成している。
【００８５】
従って、第１ヒンジ部材７９はねじ軸７５を中心にして水平回動させることができる。また、レバーナット７０のねじ込み加減を調節することにより、第１ヒンジ部材７９を水平回動させるに当たっての硬さ（すなわち、灯具２４を可動アーム２３に対して水平旋回させるに当たっての硬さ）を調節することができる。
【００８６】
本実施形態では、第２ヒンジ部材８２は上部材８３と下部材８４との二つ割り式になっており、それぞれ半円筒状になっている。また、両端には、シェード２５の軸受け部６２に嵌まる半円筒状の嵌合部８３ａ，８４ａが形成されており、図１９に示すように、両者はねじ８５で固定されている。
【００８７】
第２ヒンジ部材８２の上部材８３には、第１ヒンジ部材７９に上方から被さる後ろ向き突出部８３ｂが一体に形成されている。そして、第１ヒンジ部材７９のうち第２ヒンジ部材８２の上部材８３で覆われた部分は上下一対の挟持体８６で挟まれており、これらの挟持体８６は、下方から重なった下カバー８７を介してねじ８８で第２ヒンジ部材８２における上部材８３の後ろ向き突出部８３ｂに固定されている。
【００８８】
例えば図１８に示すように、第１ヒンジ部材７９には、抜け止めのための環状溝８９が形成されている。また、第２ヒンジ部材８２の下部材８４と下カバー８７とには、コード４２を引き込むための切欠き９０を形成している。
【００８９】
この実施形態において、灯具２４を前後動させること、アーム２２，２３を水平旋回させること、灯具２４をねじ軸７５の軸心回りに水平旋回させること、灯具２４を第１ヒンジ部材７９の軸心回りに左右首振りさせること、灯具２４を第２ヒンジ部材８２の軸心回りに上下首振りさせること、の各動きを任意に組合せることができ、このため第１実施形態と同様に灯具２４の位置と姿勢とをきめ細かく調節することができる。
【００９０】
ところで、第１実施形態では、灯具２４はアーム２２，２３の軸心回りに回動し、かつ、灯具２４を左右方向に平行移動させるとアーム２２，２３は平面視で傾斜した姿勢になるため、灯具２４を左右方向に平行移動させた状態で左右に首振りさせると、灯具２４は平面視での姿勢を変えながら首振りすることになる。
【００９１】
これに対して本実施形態では、第１ヒンジ部材７９は平面視で常に灯具２４の長手軸線と直交した姿勢になっているため、灯具２４をその水平姿勢を変えることなく左右方向に移動させた状態で、平面視での姿勢を変えることなく左右首振りさせることができる。このため、使い勝手がより高くなる利点がある。
【００９２】
(4).その他
本発明は上記の実施形態の他にも様々に具体化することができる。例えば緩衝手段を設ける場合、その具体例としては、受け部材を前後傾動させることには限らず、受け部材は傾動不能な固定式として、支柱を傾動可能な状態で受け部材に取付けても良い。
【００９３】
また、受け部材を、コイルスプリングや弾性棒のように任意の方向に撓み変形する弾性手段を介してベースに取付けることにより、全方向からの外力を緩衝できるようにすることも可能である。更に、受け部材や支柱の断面形状、或いはアームの構造などは様々に具体化することができる。支柱は受け部材に対して外側から嵌まっていても良い。
【００９４】
【図面の簡単な説明】
【図１】第１実施形態の照明装置を備えた机の正面図である。
【図２】図１のII−II視断面図である。
【図３】照明装置の下部を後方から見た分離斜視図である。
【図４】一部破断した状態での分離側面図である。
【図５】一部破断した状態での分離正面図である。
【図６】 (A)は一部破断正面図、 (B)は (A)の B-B視断面図、 (C)は動きを示す断面図である。
【図７】背面図である。
【図８】 (A)は縦断側面図、 (B)は (A)の B-B視断面図、 (C)は (A)の C-C視一部破断平面図、 (D)は (A)の D-D視断面図である。
【図９】可動アームを引き出した状態での側断面図である。
【図10】照明装置における上部の縦断側面図である。
【図11】 (A)は側断面図、 (B)は (A)の B-B視図、 (C)と (A)の C-C視図である。
【図12】要部の平面図である。
【図13】図１０のXIII−XIII視断面図である。
【図14】図１２のＸIV−ＸIV視断面図である。
【図15】 (A)は第２実施形態を示す図、 (B)は第３実施形態を示す図、 (C)は第４実施形態を示す図である。
【図16】第５実施形態を示す図で、 (A)は要部の縦断側面図、 (B)は (A)の B-B視断面図、 (C)は (A)の C-C視断面図、 (D)は (A)の D-D視断面図である。
【図17】図１６のXVII−XVII視平面図である。
【図18】第５実施形態の主要部材を分離した一部破断側面図である。
【図19】第５実施形態を示す図で、 (A)は主要部の平面図、 (B)は (A)の B-B視断面図、 (C)は (A)の C-C視断面図である。
【符号の簡単な説明】
２  机の天板
３  棚装置
４  照明装置
５  下棚
６  上棚
７，８  背板
１９  クランプ装置
２０  ベース
２１  支柱
２２  固定アーム
２３  可動アーム
２４  灯具
２５  シェード
２７  軸受け部材
３１  受け部材
３２  切り開き溝
３３  補強パイプ
４２  コード
【図１】
0003879814.tif 000002
【図２】
0003879814.tif 000003
【図３】
0003879814.tif 000004
【図４】
0003879814.tif 000005
【図５】
0003879814.tif 000006
【図６】
0003879814.tif 000007
【図７】
0003879814.tif 000008
【図８】
0003879814.tif 000009
【図９】
0003879814.tif 000010
【図１０】
0003879814.tif 000011
【図１１】
0003879814.tif 000012
【図１２】
0003879814.tif 000013
【図１３】
0003879814.tif 000014
【図１４】
0003879814.tif 000015
【図１５】
0003879814.tif 000016
【図１６】
0003879814.tif 000017
【図１７】
0003879814.tif 000018
【図１８】
0003879814.tif 000019
【図１９】
0003879814.tif 000020